(57)【要約】【課題】  動画ボケおよびフリッカの双方を抑制する。【解決手段】  画素部１０を構成する各画素回路Ｐは、電気光学素子が駆動される期間を発光制御信号Ｃに基づいて制御する。検出回路５０は、画素部１０に表示される画像の変化を検出する。発光制御回路３０は、検出回路５０が変化を検出した領域に対応する各画素回路Ｐには、ひとつのフレーム期間のうち所定の時間長の駆動期間Ｐaにおける電気光学素子の駆動を指示するとともにその残余の期間における駆動の停止を指示する第１制御信号Ｃaを発光制御信号Ｃとして出力する一方、検出回路５０が変化を検出しない領域に対応する各画素回路Ｐには、ひとつのフレーム期間のうち相互に間隔をあけた複数の駆動期間の各々における電気光学素子の駆動を指示するとともにその残余の期間における駆動の停止を指示する第２制御信号Ｃbを発光制御信号Ｃとして出力する。【選択図】      図１
2006323234.tif 000002
【特許請求の範囲】
【請求項１】
データ信号に応じた階調に駆動される電気光学素子と当該電気光学素子が駆動される期間を制御信号に基づいて制御する期間制御部とを各々が含む複数の画素回路によって画像を表示する画素部と、
フレーム期間ごとに前記複数の画素回路の各々にデータ信号を供給する駆動手段と、
前記画素部によって表示される画像の変化を検出する検出手段と、
前記検出手段によって変化が検出された第１領域に対応する各画素回路には、ひとつのフレーム期間のうち所定の時間長の駆動期間における前記電気光学素子の駆動を指示するとともにその残余の期間における駆動の停止を指示する第１制御信号を出力する一方、前記検出手段によって変化が検出されない第２領域に対応する各画素回路には、前記第１制御信号とは波形が相違する第２制御信号を出力する駆動制御手段と
を具備する電気光学装置。
【請求項２】
前記駆動制御手段は、ひとつのフレーム期間のうち単一の駆動期間において前記電気光学素子の駆動が指示されるように前記第１制御信号を生成して出力する
請求項１に記載の電気光学装置。
【請求項３】
前記駆動制御手段は、前記第２領域に対応する各画素回路に対し、ひとつのフレーム期間のうち相互に間隔をあけた複数の駆動期間の各々における前記電気光学素子の駆動を指示するとともにその残余の期間における駆動の停止を指示する信号を前記第２制御信号として出力する
請求項１または請求項２に記載の電気光学装置。
【請求項４】
前記駆動制御手段は、ひとつのフレーム期間が第１駆動期間と第２駆動期間とを含み、かつ、前記第１駆動期間の始点から前記第２駆動期間の始点までの時間長が当該フレーム期間の略半分となるように、前記第２制御信号を生成して出力する
請求項３に記載の電気光学装置。
【請求項５】
前記駆動制御手段は、ひとつのフレーム期間のうち前記第１制御信号によって規定される駆動期間の時間長の総和と、ひとつのフレーム期間のうち前記第２制御信号によって規定される駆動期間の時間長の総和とが略一致するように、各制御信号を生成して出力する
請求項１から請求項４の何れかに記載の電気光学装置。
【請求項６】
前記駆動制御手段は、前記第１制御信号によって指示される各駆動期間の間隔が、前記第２制御信号によって指示される各駆動期間の間隔よりも長くなるように各制御信号を生成して出力する
請求項１に記載の電気光学装置。
【請求項７】
前記各画素回路の電気光学素子はデータ信号のレベルに応じた階調に駆動され、
前記駆動制御手段は、ひとつのフレーム期間のうち前記第１制御信号によって規定される駆動期間の時間長の総和が、ひとつのフレーム期間のうち前記第２制御信号によって規定される駆動期間の時間長の総和よりも短くなるように各制御信号を生成して出力し、
前記第１領域に対応する各画素回路に一の階調が指定されたときの当該画素回路の電気光学素子の階調が、前記第２領域に対応する各画素回路に前記一の階調が指定されたときの当該画素回路の電気光学素子の階調よりも高階調となるように、前記駆動手段から出力されるデータ信号のレベルを調整する調整手段を具備する
請求項１に記載の電気光学装置。
【請求項８】
前記検出手段は、前記画素部によって表示される画像の変化の程度を特定し、
前記駆動制御手段は、前記検出手段によって検出される変化が大きいほど、前記第１制御信号によって規定される駆動期間の時間長の総和が短くなるように、前記第１制御信号を生成して出力する
請求項１に記載の電気光学装置。
【請求項９】
前記検出手段は、前記第１領域が前記画素部における特定の面積を越えないように画像の変化を検出する
請求項１に記載の電気光学装置。
【請求項１０】
前記画素部は、第１方向に沿って配列する所定数の画素回路のグループを前記第１方向に交差する第２方向に配列してなり、
前記検出手段は、画像の変化の有無を前記グループごとに検出し、
前記駆動制御手段は、前記第１制御信号および前記第２制御信号のうち各グループに関する検出の結果に応じた制御信号を、そのグループに属する画素回路の各々に対して共通に出力する
請求項１に記載の電気光学装置。
【請求項１１】
前記駆動制御手段は、
前記第１制御信号を生成する第１信号発生手段と、前記第２制御信号を生成する第２信号発生手段と、各々がひとつのグループに対応する複数の選択回路と、前記検出手段による検出の結果に応じて前記第１制御信号および前記第２制御信号の何れかを前記複数の選択回路の各々に指示する指示手段とを含み、
前記各選択回路は、前記第１信号発生手段が生成した第１制御信号および前記第２信号発生手段が生成した第２制御信号のうち前記指示手段が指定した制御信号を選択して当該選択回路に対応するグループの各画素回路に出力する
請求項１０に記載の電気光学装置。
【請求項１２】
前記複数の選択回路は所定数ごとにブロックに区分され、
前記指示手段は、ひとつのブロックに属する各選択回路に対して共通の指示を与える
請求項１１に記載の電気光学装置。
【請求項１３】
請求項１から請求項１２の何れかひとつに記載の電気光学装置を具備する電子機器。
【請求項１４】
データ信号に応じた階調に駆動される電気光学素子と当該電気光学素子が駆動される期間を制御信号に基づいて制御する期間制御部とを各々が含む複数の画素回路によって画像を表示する電気光学装置を駆動する方法であって、
フレーム期間ごとに前記複数の画素回路の各々にデータ信号を供給する一方、
前記複数の画素回路によって表示される画像の変化を検出し、変化が検出された領域に対応する各画素回路には、ひとつのフレーム期間のうち所定の時間長の駆動期間における前記電気光学素子の駆動を指示するとともにその残余の期間における駆動の停止を指示する第１制御信号を出力する一方、画像の変化が検出されない領域に対応する各画素回路には、前記第１制御信号とは波形が相違する第２制御信号を出力する
電気光学装置の駆動方法。
【請求項１５】
データ信号に応じた階調に駆動される電気光学素子と当該電気光学素子が駆動される期間を制御信号に基づいて制御する期間制御部とを各々が含む複数の画素回路によって画像を表示する電気光学装置を駆動する回路であって、
フレーム期間ごとに前記複数の画素回路の各々にデータ信号を供給する駆動手段と、
前記複数の画素回路によって表示される画像の変化を検出する検出手段によって当該変化が検出された領域に対応する各画素回路には、ひとつのフレーム期間のうち所定の時間長の駆動期間における前記電気光学素子の駆動を指示するとともにその残余の期間における駆動の停止を指示する第１制御信号を出力する一方、前記検出手段によって変化が検出されない領域に対応する各画素回路には、前記第１制御信号とは波形が相違する第２制御信号を出力する駆動制御手段と
を具備する電気光学装置の駆動回路。
【発明の詳細な説明】
【技術分野】
【０００１】
本発明は、有機発光ダイオード（以下「OLED（Organic Light Emitting Diode）」という）素子などの電気光学素子の挙動を制御する技術に関する。
【背景技術】
【０００２】
各々が電気光学素子を含む複数の画素回路を面状に配列した電気光学装置が従来から提案されている。この種の電気光学装置においては、複数の画素回路が各フレーム期間にて順次に選択され、この選択された画素回路にデータ信号が供給される。各画素回路にデータ信号が供給されてから次に当該画素回路が選択されるまでのひとつのフレーム期間にわたって電気光学素子がデータ信号に応じた階調に維持される電気光学装置はホールド型と呼ばれる。
【０００３】
非特許文献１に開示されているように、ホールド型の電気光学装置においては、画像に含まれる被写体の移動とこれに追従しようとする観察者の視点の移動との相違に起因して、利用者によって知覚される被写体の輪郭が不明瞭となる現象（以下「動画ボケ」という）が発生する。この動画ボケを解決するための方策としては、各電気光学素子の階調をフレーム期間にわたって維持するのではなく、ＣＲＴ（Cathode Ray Tube）に代表されるインパルス型の表示装置のように各電気光学素子を間欠的に駆動する（点灯させる）という方法がある。
【非特許文献１】信学技法，EID2001-84（2002-01）p13-p18「ディスプレイの時間応答と動画の高画質化」，栗田泰市郎／電子情報通信学会（特に図３）
【発明の開示】
【発明が解決しようとする課題】
【０００４】
しかしながら、各電気光学素子を駆動する各期間に間隔があると、画像全体の明度が周期的に変動するフリッカと呼ばれる現象が顕著となる。本発明は、このような事情に鑑みてなされたものであり、動画ボケおよびフリッカの双方を抑制するという課題の解決を目的としている。
【課題を解決するための手段】
【０００５】
この課題を解決するために、本発明に係る電気光学装置は、データ信号に応じた階調に駆動される電気光学素子と当該電気光学素子が駆動される期間を制御信号に基づいて制御する期間制御部（例えば各実施形態における発光制御トランジスタＴel）とを各々が含む複数の画素回路によって画像を表示する画素部と、フレーム期間ごとに複数の画素回路の各々にデータ信号を供給する駆動手段と、画素部によって表示される画像の変化を検出する検出手段と、検出手段によって変化が検出された第１領域（例えば各実施形態における変動領域）に対応する各画素回路には、ひとつのフレーム期間のうち所定の時間長の駆動期間における電気光学素子の駆動を指示するとともにその残余の期間における駆動の停止を指示する第１制御信号を出力する一方、検出手段によって変化が検出されない第２領域（例えば各実施形態における静止領域）に対応する各画素回路には、第１制御信号とは波形が相違する第２制御信号を出力する駆動制御手段とを具備する。
【０００６】
この構成によれば、画像が変化する第１領域に対応する画素回路には、ひとつのフレーム期間のうち駆動期間における電気光学素子の駆動が指示されるとともにその残余の期間における駆動の停止が指示される。したがって、この第１領域においては、ひとつのフレーム期間の全体にわたって電気光学素子が駆動されるホールド型の表示装置と比較して動画ボケを抑制することができる。一方、画像が変化しない第２領域に対応する画素回路には、第１制御信号とは波形が相違する第２制御信号が出力される。したがって、フリッカの抑制を優先させた波形の第２制御信号を利用することによって第２領域におけるフリッカを抑制することができる。以上のように、本発明によれば、動画ボケとフリッカとをともに抑制することができる。
【０００７】
動画ボケを有効に抑制するという観点からすると、本発明の第１制御信号によって指示される駆動期間はひとつのフレーム期間における単一の期間であることが望ましい。ただし、第１制御信号によって指示される駆動期間の態様（１フレーム期間あたりの個数や時間長）は任意である（例えば図１４参照）。
【０００８】
フリッカを抑制するためには各電気光学素子の発光および消灯の周期が短いことが望ましい。したがって、本発明の好ましい態様において、第２制御信号は、ひとつのフレーム期間のうち相互に間隔をあけた複数の駆動期間の各々における電気光学素子の駆動を指示するとともにその残余の期間における駆動の停止を指示する信号とされる。また、より有効にフリッカを抑制するためには各電気光学素子を駆動する期間が時間軸上において可能な限り分散されることが望ましいから、本発明の他の態様において、駆動制御手段は、ひとつのフレーム期間が第１駆動期間と第２駆動期間とを含み、かつ、第１駆動期間の始点から第２駆動期間の始点までの時間長が当該フレーム期間の略半分となるように、第２制御信号を生成して出力する。この態様によれば、第２制御信号によって指示される駆動期間が時間軸上において均等に分散されるから、フリッカを効果的に抑制することができる。
【０００９】
ただし、本発明において第２制御信号により指示される駆動期間の態様（１フレーム期間あたりの個数や時間長）は任意である。例えば、第２制御信号は、ひとつのフレーム期間における単一の駆動期間における電気光学素子の駆動を指示するとともにその残余の期間における駆動の停止を指示する信号（すなわちホールド型の駆動を指示する信号）であってもよい。もっとも、各駆動期間の間隔が短いほどフリッカは抑制されるから、第１制御信号によって指示される各駆動期間の間隔は、第２制御信号によって指示される各駆動期間の間隔よりも長いことが望ましい。
【００１０】
本発明の望ましい態様において、駆動制御手段は、ひとつのフレーム期間のうち第１制御信号によって規定される駆動期間の時間長の総和と、ひとつのフレーム期間のうち第２制御信号によって規定される駆動期間の時間長の総和とが略一致するように、各制御信号を生成して出力する。この態様によれば、第１領域および第２領域の各々の画素回路に対して相互に同じ階調が指定されたときに（各々に供給されるデータ信号のレベルが同一であっても）各画素回路の階調を略同一とすることができる。なお、この態様の具体例は第１実施形態として後述される。
【００１１】
ただし、第１領域の各画素回路が駆動される時間長が短いほど動画ボケは有効に抑制される。したがって、本発明の望ましい態様において、駆動制御手段は、ひとつのフレーム期間のうち第１制御信号によって規定される駆動期間の時間長の総和が、ひとつのフレーム期間のうち第２制御信号によって規定される駆動期間の時間長の総和よりも短くなるように各制御信号を生成して出力する。この態様においては、第１領域に対応する各画素回路に一の階調が指定されたときの当該画素回路の電気光学素子の階調が、第２領域に対応する各画素回路に一の階調が指定されたときの当該画素回路の電気光学素子の階調よりも高階調となるように、駆動手段から出力されるデータ信号のレベルを調整する調整手段を設けることが望ましい。この構成によれば、ひとつのフレームにおける第１領域と第２領域との駆動期間の時間長が相違するにも拘わらず、双方の領域における階調の相違は抑制される。なお、この態様の具体例は第２実施形態として後述される。
【００１２】
また、動画ボケは画像が大幅に変化する部位ほど顕著となる。そこで、本発明の他の態様において、検出手段は、画素部によって表示される画像の変化の程度（例えば、画像に含まれる被写体の単位時間あたりの移動量）を特定し、駆動制御手段は、検出手段によって検出される変化が大きいほど、第１制御信号によって規定される駆動期間の時間長の総和が短くなるように、第１制御信号を生成して出力する。この態様によれば、画像の内容に応じて効率的に動画ボケを抑制することができる。
【００１３】
また、第１制御信号によって駆動される各画素回路の分布する面積が小さいほどフリッカは抑制される。したがって、動画ボケとフリッカの双方を確実に抑制するためには、検出手段が、第１領域が画素部における特定の面積を越えないように画像の変化を検出する構成が望ましい。
【００１４】
本発明の他の態様において、画素部は、第１方向（例えば各実施形態におけるＸ方向）に沿って配列する所定数の画素回路のグループ（例えばひとつの行に属するｎ個の画素回路の集合）を第１方向に交差する第２方向に配列してなり、検出手段は、画像の変化の有無をグループごとに検出し、駆動制御手段は、第１制御信号および第２制御信号のうち各グループに関する検出の結果に応じた制御信号を、そのグループに属する画素回路の各々に対して共通に出力する。この態様によれば、検出手段による画像の変化の検出やこの結果に基づいた駆動の制御が画素回路のグループごとに実行されるから、例えば画像の変化がひとつの画素ごとに検出される構成や、各制御信号が各画素回路ごとに別個に供給される構成と比較して電気光学装置の構成が簡素化される。
【００１５】
さらに具体的には、駆動制御手段は、第１制御信号を生成する第１信号発生手段と、第２制御信号を生成する第２信号発生手段と、各々がひとつのグループ（行）に対応する複数の選択回路（例えば図９のセレクタ３５）と、検出手段による検出の結果に応じて第１制御信号および第２制御信号の何れかを複数の選択回路の各々に指示する指示手段（例えば図９のデコーダ３７）とを含み、各選択回路は、第１信号発生手段が生成した第１制御信号および第２信号発生手段が生成した第２制御信号のうち指示手段が指定した制御信号を選択して当該選択回路に対応するグループの各画素回路に出力する。さらに望ましい態様においては、複数の選択回路が所定数ごとにブロックに区分され、指示手段は、ひとつのブロックに属する各選択回路に対して共通の指示を与える（例えば図１６参照）。この態様によれば、指示回路が各選択回路を制御するための構成を簡素化（例えば指示回路から選択回路に至る配線数を削減）することができる。
【００１６】
本発明に係る電気光学装置は各種の電子機器に利用される。この電子機器の典型例は、電気光学装置を表示装置として利用した機器である。この種の電子機器としては、パーソナルコンピュータや携帯電話機などがある。
【００１７】
本発明は、電気光学装置を駆動するための方法や回路としても特定される。本発明に係る駆動方法は、データ信号に応じた階調に駆動される電気光学素子と当該電気光学素子が駆動される期間を制御信号に基づいて制御する期間制御部とを各々が含む複数の画素回路によって画像を表示する電気光学装置を駆動する方法であって、フレーム期間ごとに複数の画素回路の各々にデータ信号を供給する一方、複数の画素回路によって表示される画像の変化を検出し、変化が検出された領域に対応する各画素回路には、ひとつのフレーム期間のうち所定の時間長の駆動期間における電気光学素子の駆動を指示するとともにその残余の期間における駆動の停止を指示する第１制御信号を出力する一方、画像の変化が検出されない領域に対応する各画素回路には、第１制御信号とは波形が相違する第２制御信号を出力する。
【００１８】
また、本発明に係る駆動回路は、データ信号に応じた階調に駆動される電気光学素子と当該電気光学素子が駆動される期間を制御信号に基づいて制御する期間制御部とを各々が含む複数の画素回路によって画像を表示する電気光学装置を駆動する回路であって、フレーム期間ごとに複数の画素回路の各々にデータ信号を供給する駆動手段と、複数の画素回路によって表示される画像の変化を検出する検出手段によって当該変化が検出された領域に対応する各画素回路には、ひとつのフレーム期間のうち所定の時間長の駆動期間における電気光学素子の駆動を指示するとともにその残余の期間における駆動の停止を指示する第１制御信号を出力する一方、検出手段によって変化が検出されない領域に対応する各画素回路には、第１制御信号とは波形が相違する第２制御信号を出力する駆動制御手段とを具備する。なお、この検出手段は、この駆動回路に内蔵されていてもよいし駆動回路とは別個の回路として配置されてもよい。本発明に係る駆動方法や駆動回路には、本発明の電気光学装置について例示した各態様を同様に適用することができる。
【発明を実施するための最良の形態】
【００１９】
＜Ａ：第１実施形態＞
図１は、本発明の第１実施形態に係る電気光学装置の構成を示すブロック図である。同図に示されるように、この電気光学装置Ｄは、複数の画素回路Ｐを面状に配列してなる画素部１０と、各画素回路Ｐを駆動して階調を制御する駆動回路２０と、この駆動回路２０の動作を制御する制御回路４０と、画素部１０に表示される画像の変化を検出する検出回路５０とを具備する。なお、駆動回路２０や制御回路４０や検出回路５０は、各画素回路Ｐが配列される基板の表面やこの基板に接合された配線基板にＩＣチップの形態で実装されてもよいし、この基板の表面に作り込まれたスイッチング素子（典型的にはＴＦＴ（Thin Film Transistor））によって構成されてもよい。
【００２０】
画素部１０には、Ｘ方向に延在するｍ本の走査線１１と、各走査線１１と対をなしてＸ方向に延在するｍ本の発光制御線１２と、Ｘ方向に直交するＹ方向に延在するｎ本のデータ線１４とが形成される（ｍおよびｎはともに自然数）。各画素回路Ｐは、走査線１１および発光制御線１２の対とデータ線１４との各交差に対応した位置に配置される。したがって、これらの画素回路Ｐは、縦ｍ行×横ｎ列のマトリクス状に配列する。
【００２１】
駆動回路２０は、選択回路２１とデータ線駆動回路２３と発光制御回路３０とを含む。制御回路４０は、電気光学装置Ｄの動作のタイミングを規定する各種の信号（例えば後述する水平同期信号HSYNC）を駆動回路２０に供給することによってこれらの各回路を制御する。さらに、制御回路４０は、各画素回路Ｐの階調を指定する画像データＧをデータ線駆動回路２３および検出回路５０に出力する
【００２２】
選択回路２１は、ｍ本の走査線１１の各々を順番に選択するための走査信号Ｙ（Ｙ[1]、Ｙ[2]、……、Ｙ[m]）を各走査線１１に出力する回路である。すなわち、選択回路２１は、図２に示されるように、水平同期信号によって規定される水平走査期間（１Ｈ）ごとに何れかの走査線１１を選択し、この選択した走査線１１に供給される走査信号Ｙをハイレベルに遷移させる一方、非選択の各走査線１１に供給される走査信号Ｙをローレベルに維持する。本実施形態においては、第１行から第ｍ行までの合計ｍ本の走査線１１の選択に要する期間を「フレーム期間」と表記する。走査信号Ｙi（ｉは１≦ｉ≦ｍ）は、ひとつのフレーム期間（１Ｆ）のうち第ｉ番目の水平走査期間においてハイレベルとなる。
【００２３】
データ線駆動回路２３は、選択回路２１による選択行に属する各画素回路Ｐの画像データＧに応じたデータ信号Ｘ（Ｘ[1]、Ｘ[2]、……、Ｘ[n]）を生成して各データ線１４に出力する。データ信号Ｘは、画像データＧによって画素回路Ｐごとに指定される階調に応じた電流信号（電流量Ｉdata）である。一方、発光制御回路３０は、各行の画素回路Ｐが実際に画像データＧに応じた階調となる期間を規定する発光制御信号Ｃ（Ｃ[1]、Ｃ[2]、……、Ｃ[m]）を生成して各発光制御線１２に出力する。なお、発光制御回路３０の構成の具体例については後述する。選択回路２１と発光制御線１２とによっていわゆる走査線駆動回路（Ｙドライバ）が構成される。
【００２４】
次に、図３は、ひとつの画素回路Ｐの構成を示す回路図である。なお、同図においては、第ｉ行（ｉは１≦ｉ≦ｍを満たす整数）に属する第ｊ列目（ｊは１≦ｊ≦ｎを満たす整数）の画素回路Ｐのみが図示されているが、他の画素回路Ｐも同様の構成である。
【００２５】
図３に示されるように、本実施形態の画素回路Ｐは、ｐチャネル型の駆動トランジスタＴdrと、ｎチャネル型の３個のトランジスタ（発光制御トランジスタＴel・選択トランジスタＴsel・スイッチングトランジスタＴsw）と、電圧を保持する容量素子Ｃと、電源の高位側の電位Ｖddが供給される電源線と低位側の電位Ｇndが供給される接地線との間に介挿された電気光学素子１７とを含む。本実施形態における電気光学素子１７は、有機ＥＬ材料からなる発光層を陽極と陰極との間隙に介在させたOLED素子であり、駆動電流Ｉelの電流量に応じた階調（輝度）で発光する。
【００２６】
駆動トランジスタＴdrは、駆動電流Ｉelの電流量を制御するための素子であり、電源の高位側の電位Ｖddが供給される電源線にソースが接続されるとともにドレインが発光制御トランジスタＴelのドレインに接続される。この発光制御トランジスタＴelは、駆動電流Ｉelが実際に電気光学素子１７に供給される期間（すなわち電気光学素子１７が実際に発光する期間）を規定するためのスイッチング素子であり、ソースが電気光学素子１７の陽極に接続されるとともにゲートが発光制御線１２に接続される。
【００２７】
一方、スイッチングトランジスタＴswは、駆動トランジスタＴdrのゲートとドレインとの間に介挿されたスイッチング素子であり、そのゲートは選択トランジスタＴselのゲートとともに走査線１１に接続される。スイッチングトランジスタＴswがオン状態に遷移すると駆動トランジスタＴdrはダイオード接続される。選択トランジスタＴselは、駆動トランジスタＴdrのドレインとデータ線１４との間に介挿されて両者の導通および非導通を切り替えるスイッチング素子である。
【００２８】
以上の構成において、各フレーム期間のうち第ｉ番目の水平走査期間で走査信号Ｙ[i]がハイレベルに遷移すると（図２参照）、スイッチングトランジスタＴswがオン状態となって駆動トランジスタＴdrがダイオードとして機能する。このときに選択トランジスタＴselはオン状態となっているから、電源線から駆動トランジスタＴdrおよび選択トランジスタＴselを経由してデータ信号Ｘ[j]の電流Ｉdataがデータ線１４に流れ込む。したがって、容量素子Ｃには、駆動トランジスタＴdrのゲートの電位に応じた電荷（すなわち電流Ｉdataに応じた電荷）が蓄積される。
【００２９】
次いで、第ｉ番目の水平走査期間が経過して走査信号Ｙ[i]がローレベルになると、スイッチングトランジスタＴswおよび選択トランジスタＴselはともにオフ状態となる。したがって、駆動トランジスタＴdrのゲート−ソース間の電圧はその直前の水平走査期間で容量素子Ｃに蓄積された電荷に応じた電圧に維持される。この状態において発光制御信号Ｃ[i]がハイレベルに遷移すると発光制御トランジスタＴelがオン状態に遷移し、この結果として駆動トランジスタＴdrのゲートの電位に応じた駆動電流（すなわちデータ信号Ｘ[j]の電流量Ｉdataに応じた電流）Ｉelが電源線から駆動トランジスタＴdrを経由して電気光学素子１７に供給される。そして、電気光学素子１７は駆動電流Ｉelに比例した輝度に発光する。
【００３０】
ところで、各電気光学素子１７の輝度を充分に確保するという観点からすると、各電気光学素子１７が実際に発光する期間は長いことが望ましい。しかしながら、例えばひとつのフレーム期間にわたって電気光学素子１７の発光が維持されるホールド型の表示を採用した場合には、画素部１０によって表示される画像のうち経時的に移動していく被写体（オブジェクト）の輪郭が不明瞭となる動画ボケが顕著になる。この動画ボケの原理について説明すると以下の通りである。
【００３１】
図４は、ホールド型の表示のもとで画素部１０のうちひとつの行に表示される画像の経時的な変化の様子（同図(a)）と観察者に実際に知覚される画像（同図(b)）とを示す説明図である。同図(a)における縦軸は時間を示し、横軸はＸ方向の位置を示している。同図においては、白色を背景として表示された黒色の被写体Ｂがフレーム期間ごとに３画素分ずつ右方に移動していく場合が想定されている。同図に示されるように、ホールド型の表示においては、各電気光学素子１７は各フレーム期間の始点から終点までにわたって略一定の階調に維持される。
【００３２】
この画像を視認する観察者は被写体Ｂの移動に追従するように視点を移動させる。いま、被写体Ｂの移動に対して精度よく滑らかに視点が追従すると仮定すると、観察者の視点は、図４(a)の矢印Ｖによって表現されるように、被写体Ｂに追従するように略一定の速度で連続に右方に移動していく。このように、実際に表示される被写体Ｂはフレーム期間ごとに離散的に右方に移動していくのに対し、観察者の視点は被写体Ｂの移動に滑らかに追従するという相違がある。
【００３３】
ここで、図４(b)は、以上の画像（被写体Ｂ）を視認する観察者の網膜上の特定の部位に形成される被写体Ｂ0の位置を、この部位を基準とした相対的な位置として図示した説明図である。以上に説明したように観察者の視点は略定速で右方に移動するのに対して被写体Ｂはフレーム期間ごとに離散的に右方に移動するから、視点に対する被写体Ｂの相対的な位置は、ひとつのフレーム期間の終点に近づくほど左方にズレていく。すなわち、図４(b)に示されるように、観察者に実際に知覚される被写体Ｂ0の輪郭はひとつのフレーム期間において範囲Δにわたり変動する。この結果として被写体Ｂの輪郭が利用者にとって不明瞭に知覚されるのである。換言すると、被写体Ｂの黒色とこれに隣接する領域の白色とがひとつのフレーム期間にわたって平均化（積分）されるためにその端部が不明瞭になると説明することもできる。
【００３４】
このような動画ボケを抑制するために、本実施形態においては、図５を参照しながら以下に詳述するように、ひとつのフレーム期間のうち一部の期間のみにおいて選択的に電気光学素子１７が駆動されるようになっている。図５(a)は、図４(a)に対応する説明図であり、本実施形態の画素部１０のうちひとつの行に表示される画像の経時的な変化の様子を示している。同図においても黒色の被写体Ｂが白色を背景としてフレーム期間ごとに３画素分ずつ右方に移動していく場合が想定されている。また、図６は、発光制御信号Ｃ[i]の波形とそのときの電気光学素子１７の状態（発光／非発光の区別）とを示すタイミングチャートである。
【００３５】
図５(a)および図６に示されるように、電気光学素子１７は、ひとつのフレーム期間のうち時間長「２Ｌ」の期間（以下「駆動期間」という）Ｐaにおいてデータ信号Ｘに応じた輝度に発光する一方、その残余の期間において消灯する。すなわち、発光制御線１２を介して各画素回路Ｐに供給される発光制御信号Ｃ[i]は、駆動期間Ｐaにてハイレベル（発光制御トランジスタＴelをオン状態とするレベル）を維持するとともにその残余の期間にてローレベルを維持する波形の信号（以下「第１制御信号」という）Ｃaとなる。このような駆動方法（以下「第１発光制御方式」という）によれば、図５(b)に示されるように、各フレーム期間にて観察者が知覚する被写体Ｂ0にＸ方向のズレは発生しないから、画素部１０に表示された被写体Ｂの端部は利用者によって明確に知覚される。すなわち、第１発光制御方式によれば動画ボケを有効に抑制することができる。
【００３６】
一方、第１発光制御方式においては電気光学素子１７の発光を停止させる期間の時間長（すなわち相前後する駆動期間Ｐaの間隔）が比較的に長期化する。したがって、画素部１０の総ての画素回路Ｐについて第１発光制御方式を適用するとすれば、利用者によって知覚される画像の明度が周期的に変動するフリッカが顕在化する可能性がある。そこで、本実施形態においては、第１発光制御方式に加えて、フリッカを有効に抑制することができる方式（以下「第２発光制御方式」という）が併用される。
【００３７】
図６(b)に示されるように、第２発光制御方式においては、ひとつのフレーム期間のうち相互に間隔をあけた２個の駆動期間Ｐb（Ｐb1・Ｐb2）の各々において電気光学素子１７が発光する一方、その残余の期間においては消灯する。すなわち、発光制御線１２を介して各画素回路Ｐに供給される発光制御信号Ｃ[i]は、発光制御トランジスタＴelをオン状態とするハイレベルを駆動期間Ｐb（Ｐb1・Ｐb2）の各々にて維持するとともにその残余の期間にてローレベルを維持する波形の信号（以下「第２制御信号」という）Ｃbとなる。以上のように電気光学素子１７の発光のタイミングを分散させて発光および消灯の周期を短縮することによってフリッカを有効に抑制することができる。
【００３８】
第２発光制御方式における各駆動期間Ｐbは、第１発光制御方式における駆動期間Ｐaの略半分の時間長「Ｌ」とされる。したがって、第１発光制御方式のもとで１フレーム期間に電気光学素子１７が発光する時間長の総和と、第２発光制御方式のもとで１フレーム期間に電気光学素子１７が発光する時間長の総和とは略等しい（２Ｌ）。また、ひとつの駆動期間Ｐb1の始点から次の駆動期間Ｐb2の始点までの時間長はひとつのフレーム期間の略半分（１／２Ｆ）である。
【００３９】
ところで、動画ボケが発生するのは、画像のうち内容が変化した領域（例えば被写体が移動した領域）である。そこで、本実施形態においては、画素部１０に表示される画像のうちその直前のフレーム期間における画像から内容（各電気光学素子１７の階調）が変化した領域（以下「変動領域」という）については動画ボケの抑制に有効な第１発光制御方式が適用される一方、直前のフレーム期間と比較して画像の内容に変化がない部分や変化が少ない部分（以下ではこれらを総称して「静止領域」という）については第２発光制御方式が適用されるようになっている。図１に示される検出回路５０は、時間的に相前後する各画像の内容の変化を検出することによってひとつの画像を静止領域と変動領域とに区分するための手段である。本実施形態における検出回路５０は、画像を行単位で静止領域と変動領域とに区分する。
【００４０】
図７は、検出回路５０の具体的な構成を示すブロック図であり、図８は、検出回路５０の動作を示す説明図である。図７に示されるように、本実施形態の検出回路５０は、バッファ５１と比較回路５２と信号生成回路５３とを含む。制御回路４０から供給される１画像分の画像データＧはバッファ５１と比較回路５２とに供給される。バッファ５１は、縦ｍ行×横ｎ列の画素によって構成される１画像分の画像データＧを記憶する手段（いわゆるフレームメモリ）である。したがって、比較回路５２には、第（k+1）フレームの画像データＧが制御回路４０から供給されるとともにその直前の第ｋフレームの画像データＧがバッファ５１から供給される（ｋは自然数）。
【００４１】
比較回路５２は、第ｋフレームの画像データＧと第（k+1）フレームの画像データＧとの比較によって両者の相違を検出する手段である。さらに詳述すると、比較回路５２は、図８に示されるように、第（k+1）フレームの画像を構成する各画素の階調値と第ｋフレームの画像を構成する各画素の階調値とを比較し、同図の部分(a)に示されるように、両者が一致しない画素の個数（以下「変化度数」という）を画像の各行ごとに計数する。この計数の結果は信号生成回路５３に出力される。図８においては、第ｋフレームから第（k+1）フレームにかけて円形の被写体Ｏbが右斜め下方に移動していく場合が例示されている。この場合には、第ｊフレームにおける被写体Ｏbの上端から第（k+1）フレームにおける被写体Ｏbの下端までの範囲Ａ1に属する各行について変化度数がゼロを超える一方、それ以外の範囲に属する各行（すなわち第ｋフレームと第（k+1）フレームとで階調が変化しない各行）の変化度数はゼロとなる。ただし、図８(a)においては、範囲Ａ1のほかに範囲Ａ2に属する各行についても、ノイズなどの偶発的な原因によって変化度数がゼロを超えた場合が想定されている。
【００４２】
信号生成回路５３は、比較回路５２による比較の結果に基づいて検出信号Ｍを生成して出力する。この検出信号Ｍは、ひとつの画像のうち変動領域に分類されるべき行の番号を指定する信号である。さらに詳述すると、信号生成回路５３は、まず、比較回路５２による比較の結果からノイズに起因した誤差を除去するためにフィルタ（ローパスフィルタ）処理を実行する。この処理によって例えば図８(a)の範囲Ａ2に属する各行の変化度数はゼロに更新される。さらに、信号生成回路５３は、各行の変化度数を予め定められた閾値THと比較し、変化度数が閾値THを上回ると判定された行の番号を検出信号Ｍとして出力する。例えば、図８(a)に例示したケースでは、範囲Ａ1に属する各行（すなわち変動領域に分類された各行）の番号が検出信号Ｍとして出力される。この検出信号Ｍによって指定されない領域が静止領域である。
【００４３】
図１に示されるように、この検出信号Ｍは検出回路５０から発光制御回路３０に供給される。発光制御回路３０は、検出信号Ｍが変動領域として指定する各行の電気光学素子１７を第１発光制御方式によって駆動するとともに、静止領域に区分された各行の電気光学素子１７を第２発光制御方式によって駆動するための手段である。さらに詳述すると、発光制御回路３０は、変動領域に分類された各行の画素回路Ｐには図６(a)に図示された第１制御信号Ｃaを発光制御信号Ｃ[i]として選択したうえで発光制御線１２に出力する一方、静止領域に分類された各行の画素回路Ｐには図６(b)に図示された第２制御信号Ｃbを発光制御信号Ｃ[i]として選択したうえで発光制御線１２に出力する。
【００４４】
図９は、発光制御回路３０の具体的な構成を示すブロック図である。同図に示されるように、この発光制御回路３０は、第１信号発生回路３１１および第２信号発生回路３１２と、第１シフトレジスタ３３１および第２シフトレジスタ３３２と、各々が別個の発光制御線１２に対応するｍ個のセレクタ３５と、検出回路５０から供給される検出信号Ｍに基づいて各セレクタ３５の動作を制御するデコーダ３７とを含む。
【００４５】
第１信号発生回路３１１は、図６(a)に図示された波形の第１制御信号Ｃaを生成して出力する手段である。この第１信号発生回路３１１の後段に配置された第１シフトレジスタ３３１は、制御回路４０から供給される水平同期信号HSYNCによって各々の動作のタイミングが規定される複数の単位回路（ＦＦ）を多段に接続した構成となっている。この第１シフトレジスタ３３１は、図２に示されるように、第１信号発生回路３１１から出力された第１制御信号Ｃaを水平同期信号HSYNCに同期したタイミングで順次にシフトすることによって第１制御信号Ｃa[1]ないしＣa[m]として出力する。一方、第２信号発生回路３１２は、図６(b)に図示された波形の第２制御信号Ｃbを発生する手段である。第２シフトレジスタ３３２は、図２に示されるように、第２信号発生回路３１２が生成した第２制御信号Ｃbを水平同期信号HSYNCに同期して順次にシフトすることによって第２制御信号Ｃb[1]ないしＣb[m]として出力する。
【００４６】
第１制御信号Ｃa[i]および第２制御信号Ｃb[i]は第ｉ段目のセレクタ３５に入力される。各セレクタ３５は、デコーダ３７からの指示に応じて第１制御信号Ｃa[i]および第２制御信号Ｃb[i]の何れかを選択する手段である。ここで選択された信号が発光制御信号Ｃ[i]として第ｉ行目の発光制御線１２に出力される。一方、デコーダ３７は、検出信号Ｍによって指定された各行（すなわち変動領域に属する各行）に対応するセレクタ３５には第１制御信号Ｃa[i]の選択を指示する一方、ここで指定されない各行（すなわち静止領域に属する各行）に対応するセレクタ３５には第２制御信号Ｃb[i]の選択を指示する。
【００４７】
以上の構成によって、変動領域に属する各行の画素回路Ｐは第１発光制御方式によって駆動される一方、静止領域に属する各行の画素回路Ｐは第２発光制御方式によって駆動される。例えばいま、第ｉ行目が静止領域に分類されるとともに第（i+1）行目が変動領域に分類された場合（すなわち変動領域と静止領域との境界が第ｉ行目と第（i+1）行目との間にある場合）を想定する。この場合には、図１０に示されるように、第２シフトレジスタ３３２から出力された第２制御信号Ｃb[i]が発光制御信号Ｃ[i]として第ｉ行目の各画素回路Ｐに供給される。したがって、第ｉ行目の各画素回路Ｐの電気光学素子１７は、ひとつのフレーム期間のうち相互に間隔をあけた２個の駆動期間Ｐb（Ｐb1・Ｐb2）においてデータ信号Ｘに応じた輝度に発光するとともにそれ以外の期間においては消灯する。一方、第（i+1）行目の各画素回路Ｐの電気光学素子１７は、ひとつのフレーム期間のうち単一の駆動期間Ｐaにおいてデータ信号Ｘに応じた輝度に発光するとともにそれ以外の期間においては消灯する。
【００４８】
以上に説明したように、本実施形態においては、変動領域に属する各画素回路Ｐには動画ボケの抑制に有効な第１発光制御方式が適用され、静止領域に属する各画素回路Ｐにはフリッカの抑制に有効な第２発光制御方式が適用されるから、動画ボケとフリッカとをともに抑制することができる。なお、第１発光制御方式が適用される変動領域においては、電気光学素子１７の発光の間隔が長期化するから、ホールド型の表示と比較してフリッカが顕在化する可能性がある。しかしながら、画像の被写体が移動ないし変化する領域は比較的に狭いという一般的な傾向のもとでは、検出回路５０によって変動領域に分類される領域の面積は小さい場合が多い。そして、フリッカは面積が小さいと利用者によって知覚されにくいから、本実施形態においては、変動領域においてフリッカが発生したとしても、これが利用者に明確に知覚されることは殆どない。
【００４９】
ところで、静止領域におけるフリッカを抑制するための構成としては、第２発光制御方式における駆動期間Ｐbに充分な時間長が確保された構成（例えばホールド型と同等に駆動期間Ｐbを１フレーム期間程度の時間長に確保した構成）も考えられる。しかしながら、この場合には、電気光学素子１７を発光させる期間の時間長が静止領域と変動領域とで大幅に相違するから、静止領域と変動領域とで輝度がバラついて利用者に表示のムラと知覚される可能性がある。これに対し、本実施形態においては、第１発光制御方式における１フレーム期間あたりの駆動期間Ｐaの時間長の総和と第２発光制御方式における１フレーム期間あたりの駆動期間Ｐbの時間長の総和とが略一致する。したがって、静止領域の輝度と変動領域の輝度とを均等化して表示ムラを抑制することができる。
【００５０】
＜Ｂ：第２実施形態＞
次に、本発明の第２実施形態に係る電気光学装置Ｄの構成を説明する。なお、本実施形態のうち第１実施形態と同様の要素については共通の符号を付してその説明を適宜に省略する。
【００５１】
図４および図５を参照して説明したように、ひとつのフレーム期間のうち電気光学素子１７を発光させる期間が短いほど動画ボケは抑制される。したがって、第１発光制御方式においては駆動期間Ｐaが短いことが望ましい。しかしながら、単純に駆動期間Ｐaを短縮しただけでは変動領域における電気光学素子１７の輝度が不足し、変動領域と静止領域とで輝度にムラが発生する可能性がある。この問題点について詳述すると以下の通りである。
【００５２】
図１１は、第１発光制御方式および第２発光制御方式の各々における動作を説明するためのタイミングチャートである。同図(a)に示されるように、第１発光制御方式のもとで発光制御信号Ｃ[i]として各画素回路Ｐに供給される第１制御信号Ｃaは、第１実施形態よりも短い時間長「Ｌ」の駆動期間Ｐaにおいてハイレベルを維持する。一方、図１１(a)に示されるように、第２制御信号Ｃbの波形は第１実施形態と同様である。すなわち、第２発光制御方式のもとでひとつのフレーム期間に各電気光学素子１７を発光させる時間長の総和が「２Ｌ」であるのに対し、第１発光制御方式において各電気光学素子１７を発光させる時間長の総和は「Ｌ」である。したがって、ひとつの階調に対応した同じレベルのデータ信号Ｘが静止領域の画素回路Ｐと変動領域の画素回路Ｐとに供給されたとすれば、変動領域に位置する各電気光学素子１７の１フレーム期間における発光量の総和は、静止領域に位置する各電気光学素子１７の発光量の総和の略半分となる。この発光量の相違は利用者によって表示のムラと知覚される。
【００５３】
この問題を解決するために、本実施形態においては、同じ階調が指定されたときの１フレーム期間における電気光学素子１７の発光量の総和が静止領域と変動領域とで略同一となるように、変動領域の各画素回路Ｐに供給されるデータ信号Ｘのレベル（電流Ｉdata）が適宜に調整される。より具体的には、図１１に示されるように、ある階調が指定されたときに変動領域の電気光学素子１７に供給される駆動電流Ｉelの電流量Ｉaが、その階調が指定された静止領域の電気光学素子１７に供給される電流量Ｉbの略２倍となるように、各画素回路Ｐに供給されるデータ信号Ｘのレベルが調整される。図１２に示される調整回路６０は、この調整を実行する手段である。
【００５４】
この調整回路６０には、変動領域と静止領域との区別を指示する検出信号Ｍが検出回路５０から供給されるとともに、各画素回路Ｐの画像データＧが制御回路４０から順次に供給される。調整回路６０は、各画素回路Ｐの画像データＧのうち検出信号Ｍによって変動領域に指定される各行の画素回路Ｐの画像データＧを、これよりも数値が大きい画像データＧnewに変換してデータ線駆動回路２３に出力する。また、調整回路６０は、静止領域に属する各行の画素回路Ｐの画像データＧについては何らの処理も実行することなくデータ線駆動回路２３に出力する。調整回路６０が画像データＧを画像データＧnewに変換する動作の具体的な内容は以下の通りである。
【００５５】
例えばいま、図１３に特性Ｆaとして図示されるように、画像データＧによって指定される階調値と電気光学素子１７の実際の輝度とが比例する場合を想定する。この場合、変動領域に属する画素回路Ｐについて階調値ｇを指定する画像データＧが供給されると、調整回路６０は、階調値ｇの略２倍の階調値ｇ1（＝２ｇ）を指定する画像データＧnewを生成してデータ線駆動回路２３に出力する。この画像データＧnewは、画像データＧを含む所定の演算によって算定されてもよいし、調整回路６０に入力される画像データＧと画像データＧnewとが予め対応付けられたルックアップテーブルに基づいて生成されてもよい。一方、静止領域に属する画素回路Ｐについて階調値ｇを指定する画像データＧが供給された場合には、調整回路６０は、この画像データＧをそのままデータ線駆動回路２３に出力する。そして、データ線駆動回路２３は、調整回路６０から供給される画像データＧおよび画像データＧnewに基づいてデータ信号Ｘを生成して各データ線１４に出力する。
【００５６】
以上の処理により、変動領域の電気光学素子１７に供給される駆動電流Ｉelの電流量Ｉaは静止領域の電気光学素子１７に供給される電流量Ｉbの略２倍となる。この結果、図１３に示されるように、変動領域の輝度Ｌaは静止領域の輝度Ｌbの略２倍となる。すなわち、ひとつのフレーム期間における電気光学素子１７の発光量の総和は変動領域と静止領域とで略一致する。したがって、本実施形態によれば、動画ボケの有効な抑制を実現するために第１発光制御方式における駆動期間Ｐaの時間長を第２発光制御方式における駆動期間Ｐbの時間長の総和の略半分に短縮しているにも拘わらず、変動領域と静止領域との輝度の相違を抑制することができる。
【００５７】
ところで、データ線駆動回路２３の入出力特性や各画素回路Ｐの特性（各トランジスタや電気光学素子１７の特性）によっては、図１３に特性Ｆbとして図示されるように、画像データＧによって指定される階調値に対して電気光学素子１７の輝度が非線形に変化する場合もある。この構成のもとでは、調整回路６０によって画像データＧの階調値ｇを単純に２倍しても電気光学素子１７の輝度は２倍に到達しない（輝度Ｌa’に留まる）。すなわち、電気光学素子１７の輝度を第２発光制御方式における輝度の２倍とするためには、図１３(b)に示す階調値ｇ2を指定する画像データＧnewを生成する必要がある。このような場合には、画像データＧに基づく所定の演算によって画像データＧnewを算定することは困難である。そこで、画像データＧと画像データＧnewとが予め対応づけられたテーブル（ルックアップテーブル）に基づいて調整回路６０が画像データＧnewを特定する構成が望ましい。
【００５８】
＜Ｃ：変形例＞
以上に説明した各実施形態には様々な変形を加えることができる。具体的な変形の態様を例示すれば以下の通りである。なお、以下の各態様を適宜に組み合わせてもよい。
【００５９】
（１）変形例１  
各実施形態においては、１フレーム期間内で時間的に連続する単一の期間を駆動期間Ｐaとした場合を例示したが、第１発光制御方式における駆動期間Ｐaの態様はこれに限定されない。例えば、図１４に示されるように、第１発光制御方式においても、１フレーム期間内で相互に間隔をあけた複数の駆動期間Ｐa（Ｐa1・Ｐa2）の各々において電気光学素子１７を発光させてもよい。図１５は、図４や図５に対応する図面であり、本変形例のもとで画素部１０のひとつの行に表示される画像の経時的な変化の様子（同図(a)）と観察者によって知覚される画像の態様（同図(b)）とを示している。図１４および図１５(a)のように複数の駆動期間Ｐaの各々で電気光学素子１７を発光させると、観察者の網膜には、図１５(b)に示されるように、駆動期間Ｐa1で表示された被写体Ｂの画像と駆動期間Ｐa2で表示された被写体Ｂの画像とが形成される。したがって、ホールド型の表示を採用した場合（図４の場合）と比較すると、利用者によって知覚される被写体Ｂ0の端部のズレ量Δは低減される。このように、本発明においては、画像の変化が検出された領域（変動領域）の各電気光学素子１７が、ひとつのフレーム期間のうちの一部の期間（駆動期間Ｐa）にて駆動されるとともにその残余の期間で駆動が停止される構成であれば足り、ひとつのフレーム期間に含まれる駆動期間Ｐaの個数や各々の時間長の如何は不問である。
【００６０】
また、各実施形態の第２発光制御方式においては、１フレーム期間内の２個の駆動期間Ｐb（Ｐb1・Ｐb2）の各々で電気光学素子１７を発光させる構成を例示したが、１フレーム期間あたりの駆動期間Ｐbの個数や各々の時間長は任意に変更される。例えば、第２発光制御方式においては、１フレーム期間に設定された３個以上の駆動期間Ｐbで電気光学素子１７が駆動されてもよいし、１フレーム期間に含まれる各駆動期間Ｐbの時間長が互いに相違してもよい。また、第２発光制御方式は、フリッカの抑制を優先させる方式であるから、１フレーム期間について複数の駆動期間Ｐbが設定される必要は必ずしもなく、例えば、１フレーム期間の殆どの区間（あるいは総ての区間）を占める単一の駆動期間Ｐbで電気光学素子１７が駆動されてもよい。
【００６１】
（２）変形例２  
図４の説明から理解されるように、利用者によって知覚される動画ボケの程度（ズレ量Δ）は、フレーム期間ごとの被写体の移動量（すなわち被写体の移動の速度）が大きいほど顕著となる。一方、図５や図１１を参照して説明したように、利用者によって知覚される被写体Ｂ0の端部のズレ量Δは、第１発光制御方式における駆動期間Ｐaの時間長が短いほど低減される。そこで、画像の被写体Ｂの移動の速度が大きいほど第１発光制御方式における駆動期間Ｐaの時間長が短くなるように、発光制御信号Ｃ[i]（より厳密には第１制御信号Ｃa[i]）のパルス幅を発光制御回路３０が調整する構成としてもよい。
【００６２】
（３）変形例３  
第１実施形態において説明したように、第１発光制御方式のもとでは第２発光制御方式と比較してフリッカが顕著となる場合がある。一方、画像の明度が周期的に変動する領域の面積が広いほど利用者はフリッカを明確に知覚する。そこで、変動領域に指定される領域の面積を制限してもよい。より具体的には、画像の全体にわたって内容の変化が検出された場合であっても、変動領域として指定される領域の面積が画像の３０％程度に制限されるようにしてもよい。この機能を実現するために、信号生成回路５３は、例えば、変化度数が閾値THを超える行の割合（すなわち変動領域と判定される行数）が所定値を下回るように閾値THを適宜に調整する。本変形例によれば、第１発光制御方式を適用される領域の面積が制限されるから、フリッカの顕在化を有効に抑制することができる。
【００６３】
（４）変形例４  
各実施形態においては画素部１０に表示される画像が１行ずつ静止領域および変動領域の何れかに区分される構成を例示したが、ｍ行を所定数ごとに区分したブロックを単位として静止領域および変動領域が認定される構成としてもよい。例えば、ひとつのブロックに属する複数行のうち画像の内容が変化した総数が閾値を越える場合には、そのブロックに属する全行が変動領域に指定されて第１発光制御方式が適用されるといった具合である。
【００６４】
このようにブロックを単位として発光が制御される構成のもとでは、図９の構成に代えて図１６の構成が好適に採用される。この構成においては、各画素回路Ｐのブロックに対応するようにｍ個のセレクタ３５が所定数（ここでは「１２」）ごとにブロックＢに区分される。そして、ひとつのブロックＢに属するセレクタ３５の各々にはデコーダ３７から共通の指示が入力される。この構成によれば、各画素回路Ｐのブロックごとに第１発光制御方式または第２発光制御方式を選択的に適用することができる。さらに、図９に例示した発光制御回路３０と比較して、デコーダ３７から各セレクタ３５に至る配線の本数を削減することができるという利点がある。
【００６５】
また、図１７に示されるように、第１シフトレジスタ３３１から出力された第１制御信号Ｃa[i]や第２シフトレジスタ３３２から出力された第２制御信号Ｃb[i]がひとつのブロックに属する複数行（ここでは「１２行」）で共用される構成としてもよい。同図の構成においては、ひとつのブロックに属する１２本の発光制御線１２がひとつのセレクタ３５の出力端に対して共通に接続される。この構成によれば、図１６の構成と同様に、各画素回路Ｐを区分したブロックごとに第１発光制御方式または第２発光制御方式を選択的に適用することができる。ただし、図１７の構成においては、ひとつのブロックに属する総ての画素回路Ｐに対してデータ信号Ｘが供給された後に、そのブロックに属する各画素回路Ｐの発光制御トランジスタＴelがオン状態とされる構成が望ましい。データ信号Ｘに応じた電圧が駆動トランジスタＴdrのゲートに印加される前に発光制御トランジスタＴelがオン状態に遷移すると、各電気光学素子１７をデータ信号Ｘに応じた所期の輝度に発光させることができないからである。
【００６６】
（５）変形例５  
第２実施形態においては調整回路６０が画像データＧを加工する構成を例示したが、静止領域と変動領域との輝度のムラを抑制するための方法はこれに限られない。例えば、画像データＧには何らの処理も施すことなくデータ線駆動回路２３に供給する一方、データ線駆動回路２３が生成したデータ信号Ｘのレベルを静止領域と変動領域とで相違させる構成としてもよい。例えば、ある階調が指定されたときに変動領域の各画素回路Ｐに供給されるデータ信号Ｘのレベルを、その階調が指定された静止領域の各画素回路に供給されるデータ信号Ｘのレベルの略２倍に調整するといった具合である。このように、本発明においては、各画素回路Ｐに供給されるデータ信号Ｘのレベルが変動領域と静止領域とで結果的に相違する構成であれば足り、実際に加工される対象が画像データＧであるかデータ信号Ｘであるかは不問である。また、第２実施形態においては、変動領域の各画素回路Ｐに供給されるデータ信号Ｘのレベルを増大する構成を例示したが、これとは逆に、静止領域の各画素回路Ｐに供給されるデータ信号のレベルを減少させてもよい。
【００６７】
（６）変形例６  
画素回路Ｐの構成は図３の例示に限定されない。例えば、図３に例示した電流プログラミング方式（データ線１４の電流Ｉdataに応じて電気光学素子１７の階調が調整される方式）の画素回路Ｐに代えて、データ線１４の電圧に応じて電気光学素子１７の階調が調整される電圧プログラミング方式の画素回路を採用してもよい。また、各実施形態においてはOLED素子を電気光学素子１７として例示したが、本発明における電気光学素子はこれに限定されない。例えば、OLED素子に代えて、液晶素子や無機ＥＬ素子、フィールド・エミッション（ＦＥ）素子、表面導電型エミッション（ＳＥ：Surface-conduction  Electron-emitter）素子、弾道電子放出（ＢＳ：Ballistic  electron  Surface  emitting）素子、ＬＥＤ（Light  Emitting  Diode）素子など様々な電気光学素子を利用することができる。このように、本発明における電気光学素子は、電気エネルギの付与によって階調が変化する素子であればよい。本発明における画素回路は、データ信号に応じた階調に駆動される電気光学素子（典型的にはデータ信号に応じた輝度に発光する発光素子）と、この電気光学素子が実際に駆動される期間（より具体的には電気光学素子が実際に発光する期間）を制御する手段（例えば各実施形態における発光制御トランジスタＴel）とを含んでいれば足り、その具体的な構成の如何は不問である。
【００６８】
＜Ｄ：応用例＞
次に、本発明に係る電気光学装置Ｄを利用した電子機器について説明する。図１８は、以上に説明した何れかの形態に係る電気光学装置Ｄを表示装置として採用したモバイル型のパーソナルコンピュータの構成を示す斜視図である。パーソナルコンピュータ２０００は、表示装置としての電気光学装置Ｄと本体部２０１０とを備える。本体部２０１０には、電源スイッチ２００１およびキーボード２００２が設けられている。この電気光学装置Ｄは電気光学素子１７にOLED素子を使用しているので、視野角が広く見易い画面を表示できる。
【００６９】
図１９に、実施形態に係る電気光学装置Ｄを適用した携帯電話機の構成を示す。携帯電話機３０００は、複数の操作ボタン３００１およびスクロールボタン３００２、ならびに表示装置としての電気光学装置Ｄを備える。スクロールボタン３００２を操作することによって、電気光学装置Ｄに表示される画面がスクロールされる。
【００７０】
図２０に、実施形態に係る電気光学装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置Ｄを備える。電源スイッチ４００２を操作すると、住所録やスケジュール帳といった各種の情報が電気光学装置Ｄに表示される。
【００７１】
なお、本発明に係る電気光学装置Ｄが適用される電子機器としては、図１８から図２０に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００７２】
【図１】第１実施形態に係る電気光学装置の構成を示すブロック図である。
【図２】各画素回路の駆動に関わる信号の波形を示すタイミングチャートである。
【図３】ひとつの画素回路の構成を示す回路図である。
【図４】動画ボケが発生する原理を説明するための図である。
【図５】本実施形態によって動画ボケが解消される原理を説明するための図である。
【図６】第１発光制御方式と第２発光制御方式とを説明するためのタイミングチャートである。
【図７】検出回路の構成を示すブロック図である。
【図８】検出回路の動作を説明するための図である。
【図９】発光制御回路の構成を示すブロック図である。
【図１０】電気光学装置の動作の具体例を説明するためのタイミングチャートである。
【図１１】第２実施形態に係る電気光学装置の動作を説明するためのタイミングチャートである。
【図１２】第２実施形態に係る電気光学装置の構成を示すブロック図である。
【図１３】調整回路の動作を説明するためのグラフである。
【図１４】変形例１に係る第１発光制御方式の内容を説明するためのタイミングチャートである。
【図１５】変形例１において発生する動画ボケについて説明するための図である。
【図１６】変形例４における発光制御回路の構成を示すブロック図である。
【図１７】変形例４における発光制御回路の他の構成を示すブロック図である。
【図１８】本発明に係る電子機器の具体的な形態を示す斜視図である。
【図１９】本発明に係る電子機器の具体的な形態を示す斜視図である。
【図２０】本発明に係る電子機器の具体的な形態を示す斜視図である。
【符号の説明】
【００７３】
Ｄ……電気光学装置、１０……画素部、１１……走査線、１２……発光制御線、１４……データ線、１７……電気光学素子、２０……駆動回路、２１……選択回路、２３……データ線駆動回路、３０……発光制御回路、３１１……第１信号発生回路、３１２……第２信号発生回路、３３１……第１シフトレジスタ、３３２……第２シフトレジスタ、３５……セレクタ、３７……デコーダ、４０……制御回路、５０……検出回路、５１……バッファ、５２……比較回路、５３……信号生成回路、６０……調整回路。
【図１】
2006323234.tif 000003
【図２】
2006323234.tif 000004
【図３】
2006323234.tif 000005
【図４】
2006323234.tif 000006
【図５】
2006323234.tif 000007
【図６】
2006323234.tif 000008
【図７】
2006323234.tif 000009
【図８】
2006323234.tif 000010
【図９】
2006323234.tif 000011
【図１０】
2006323234.tif 000012
【図１１】
2006323234.tif 000013
【図１２】
2006323234.tif 000014
【図１３】
2006323234.tif 000015
【図１４】
2006323234.tif 000016
【図１５】
2006323234.tif 000017
【図１６】
2006323234.tif 000018
【図１７】
2006323234.tif 000019
【図１８】
2006323234.tif 000020
【図１９】
2006323234.tif 000021
【図２０】
2006323234.tif 000022